(57)【要約】【課題】一本の手摺り棒材で細かく高さ調整ができる手摺りの提供をその課題とする。【解決手段】手摺り１は、壁面Ｗに取り付けられた左右一対のガイドレール５０と、ガイドレール５０に着脱可能に装着されるプラグ部材１０と、プラグ部材１０に設けられ、ガイドレール５０の係合穴４に係脱するラッチ爪４５と、ラッチ爪４５を係合穴４に係脱させるラッチ操作部４２と、プラグ部材１０間に架設される手摺り棒材７０とで構成されている。【選択図】図３
2019173297.tif 000002
【特許請求の範囲】
【請求項１】
上下方向に伸び、且つ左右に並べて壁面に取り付けられ、露出面に装着凹部が複数段に設けられた左右一対のガイドレールと、
前記装着凹部の内壁に設けられた係合穴と、
前記装着凹部に挿脱される挿脱部分が設けられたプラグ部材と、
前記プラグ部材に収納され、前記挿脱部分から出没し、前記係合穴に係脱するラッチ爪と、
前記プラグ部材の外面に現れるように設けられ、前記ラッチ爪を前記挿脱部分から出没させるラッチ操作部と、
前記左右一対のガイドレールの装着凹部にそれぞれ装着されたプラグ部材間に架設される手摺り棒材とで構成されていることを特徴とする可動式手摺り。
【請求項２】
前記プラグ部材は、ケーシングと、前記ケーシング内に収納され、前記ラッチ爪と前記ラッチ操作部とが設けられたラッチ部材とで構成されていることを特徴とする請求項１に記載した可動式手摺り。
【請求項３】
前記係合穴は、前記装着凹部の内壁に対向するように設けられ、
前記ケーシングは、前記挿脱部分の突出方向への前記ラッチ部材のスライドを可能にするラッチ収納空間部を有し、
ラッチ部材は、そのラッチ本体部分から前記挿脱部分の突出方向に伸びた二股状の前記ラッチアーム部と、前記ラッチアーム部の先端の互いに反対側の面に突設された前記ラッチ爪と、前記ラッチ部材をスライドさせる前記ラッチ操作部と、前記二本のラッチアーム部の間に設けられ、前記ラッチ爪の離間方向に前記ラッチアーム部を撓ませる弾発材とで構成されていることを特徴とする請求項２に記載の可動式手摺り。
【請求項４】
前記係合穴は、前記装着凹部の内壁に対向するように設けられ、
前記ケーシングは、挿脱部分に至る、前記ラッチ部材を収納するラッチ収納空間部を有し、
前記ラッチ部材は、そのラッチ本体部分から二股状で伸びた前記ラッチアーム部と、前記ラッチアーム部の先端の互いに反対側の面に突設されたラッチ爪と、前記ラッチアーム部に設けられ、前記ラッチアーム部を閉じる方向に設けられた前記ラッチ操作部と、前記二本のラッチアーム部の間に設けられ、前記ラッチ爪の離間方向に前記ラッチアーム部を撓ませる弾発材とで構成されていることを特徴とする請求項２に記載の可動式手摺り。
【請求項５】
前記係合穴は、前記装着凹部の内壁に対向するように設けられ、
前記ケーシングは、挿脱部分に至る、前記ラッチ部材を収納するラッチ収納空間部を有し、
前記ラッチ部材は、そのラッチ本体部分から前記挿脱部分の突出方向に伸びた二股状の前記ラッチアーム部と、前記ラッチアーム部の先端の互いに反対側の面に突設されたラッチ爪と、前記ラッチアーム部の内側の面に突設された突起と、
前記突起を超える位置まで前記ラッチアーム部の間にスライド自在に設けられ、ラッチ操作部が設けられている摺動部材と、
前記ラッチ収納空間部と前記ラッチアーム部の間に設けられ、二股状の前記ラッチアーム部を閉じる方向に押圧付勢する弾発材とで構成されていることを特徴とする請求項２に記載の可動式手摺り。
【請求項６】
前記ケーシングは、前記挿脱部分とケーシング本体とで構成され、
前記ケーシング本体は、前記挿脱部分が突設しているケース本体部分と、手摺り棒材の一端が取り付けられた手摺り取付部分とに分割され、
前記手摺り取付部分はケース本体部分の中心軸の周りに回転可能に支持され、
前記手摺り棒材は、前記手摺り取付部分にスライド可能に保持されていることを特徴とする請求項２〜５のいずれかに記載の可動式手摺り。
【発明の詳細な説明】
【技術分野】
【０００１】
本発明は、階段や廊下、風呂場、トイレなどに設置される手摺りであって、使用者に合わせてワンタッチで高さを自由に変えることができる簡便な手摺りに関する。
【背景技術】
【０００２】
手摺りは、老人や障害者、怪我人、妊産婦、幼い子を連れた人にとって安全な歩行を保証する重要な設備である。特に、階段では転落事故を未然に防ぐ設備として非常に重要である。高齢化が進んだ今日では多数の人が利用する役所、駅、銀行、デパート、病院など公共施設は勿論、日常生活を営む住宅でも、手摺りが設置されるようになっている。
【０００３】
手摺りは、上記のように大人から子供まで使用されるが、床面からの手摺りの高さは使用者にとって高過ぎたり低過ぎたりしては使いづらい。一般的に、大人が使用する高さは床面から７５ｃｍ〜８５ｃｍ、子供が使用する高さは６０ｃｍ〜６５ｃｍ程度は好ましいとされている。
手摺りの高さが高過ぎる場合、手摺りを持って歩行している者は、後方に重心が掛かり過ぎ、特に、階段を登る場合、転落の危険性があると言われている。そこで、非引用文献１に示すような二段手摺りが提案されている（図１２参照）。
【先行技術文献】
【非特許文献】
【０００４】
【非特許文献１】インターネット＜ＵＲＬ：http://www.naka-kogyo.co.jp＞
【発明の概要】
【発明が解決しようとする課題】
【０００５】
上記二段手摺りは、上下２本の手摺り１００・２００が必要であり、その分だけコストが掛かるだけでなく、図１２に示すように、下側の手摺り２００が上側の手摺り１００より歩行者側に突き出し、歩行スペースを狭くする。加えて、平行な２本の手摺り１００・２００は、外観的に好ましくないという問題もある。そして、この二段手摺りは、上下二段で固定しているため、使用者のニーズに対し、細かく対応することができないという問題もあった。
【０００６】
本発明はこのような従来例の問題に鑑みてなされたもので、一本で細かく高さ調整ができる手摺りの提供をその課題とする。
【課題を解決するための手段】
【０００７】
請求項１に記載した手摺り１は、
上下方向に伸び、且つ左右に並べて壁面Ｗに取り付けられ、露出面に装着凹部３が複数段に設けられた左右一対のガイドレール５０と、
前記装着凹部３の内壁に設けられた係合穴４と、
前記装着凹部３に挿脱される挿脱部分１８が設けられたプラグ部材１０と、
前記プラグ部材１０に収納され、前記挿脱部分１８から出没し、前記係合穴４に係脱するラッチ爪４５と、
前記プラグ部材１０の外面に現れるように設けられ、前記ラッチ爪４５を前記挿脱部分１８から出没させるラッチ操作部４２と、
前記左右一対のガイドレール５０の装着凹部３にそれぞれ装着されたプラグ部材１０間に架設される手摺り棒材７０とで構成されていることを特徴とする。
【０００８】
請求項２は、請求項１に記載した手摺り１において、
前記プラグ部材１０は、ケーシング１１と、前記ケーシング１１内に収納され、前記ラッチ爪４５と前記ラッチ操作部４２とが設けられたラッチ部材４０とで構成されていることを特徴とする。
【０００９】
請求項３は、請求項２に記載した手摺り１において（図３〜図７）、
前記係合穴４は、前記装着凹部３の内壁に対向するように設けられ、
前記ケーシング１１は、前記挿脱部分１８の突出方向への前記ラッチ部材４０のスライドを可能にするラッチ収納空間部２０を有し、
ラッチ部材４０は、そのラッチ本体部分４１から前記挿脱部分１８の突出方向に伸びた二股状の前記ラッチアーム部４３と、前記ラッチアーム部４３の先端の互いに反対側の面に突設された前記ラッチ爪４５と、前記ラッチ部材４０をスライドさせる前記ラッチ操作部４２と、前記二本のラッチアーム部４３の間に設けられ、前記ラッチ爪４５の離間方向に前記ラッチアーム部４３を撓ませる弾発材４９とで構成されていることを特徴とする。
【００１０】
請求項４は、請求項２に記載した手摺り１において（図８〜図９）、
前記係合穴４は、前記装着凹部３の内壁に対向するように設けられ、
前記ケーシング１１は、挿脱部分１８に至る、前記ラッチ部材４０を収納するラッチ収納空間部２０を有し、
前記ラッチ部材４０は、そのラッチ本体部分４１から二股状で伸びた前記ラッチアーム部４３と、前記ラッチアーム部４３の先端の互いに反対側の面に突設されたラッチ爪４５と、前記ラッチアーム部４３に設けられ、前記ラッチアーム部４３を閉じる方向に設けられた前記ラッチ操作部４２と、前記二本のラッチアーム部４３の間に設けられ、前記ラッチ爪４５の離間方向に前記ラッチアーム部４３を撓ませる弾発材４９とで構成されていることを特徴とする。
【００１１】
請求項５は、請求項２に記載した手摺り１において（図１０）、
前記係合穴４は、前記装着凹部３の内壁に対向するように設けられ、
前記ケーシング１１は、挿脱部分１８に至る、前記ラッチ部材４０を収納するラッチ収納空間部２０を有し、
前記ラッチ部材４０は、そのラッチ本体部分４１から前記挿脱部分１８の突出方向に伸びた二股状の前記ラッチアーム部４３と、前記ラッチアーム部４３の先端の互いに反対側の面に突設されたラッチ爪４５と、前記ラッチアーム部４３の内側の面に突設された突起４４と、
前記突起４４を超える位置まで前記ラッチアーム部４３の間にスライド自在に設けられ、ラッチ操作部４２が設けられている摺動部材２６と、
前記ラッチ収納空間部２０と前記ラッチアーム部４３の間に設けられ、二股状の前記ラッチアーム部４３を閉じる方向に押圧付勢する弾発材４９とで構成されていることを特徴とする。
【００１２】
請求項６は、請求項２〜５のいずれかに記載の手摺り１において（図１１）、
前記ケーシング１１は、前記挿脱部分１８とケーシング本体１２とで構成され、
前記ケーシング本体１２は、前記挿脱部分１８が突設しているケース本体部分１３と、手摺り棒材７０の一端が取り付けられた手摺り取付部分１４とに分割され、
前記手摺り取付部分１４はケース本体部分１３の中心軸ＣＬの周りに回転可能に支持され、
前記手摺り棒材７０は、前記手摺り取付部分１４にスライド可能に保持されていることを特徴とする。
【発明の効果】
【００１３】
本発明は、ラッチ操作部４２を操作するだけで手摺り棒材７０が架設されているプラグ部材１０をラッチ受け部材２に簡単に脱着することができる。ラッチ受け部材２は上下方向に複数段にわたって設置されているので、適当な高さのラッチ受け部材２を選択するだけで手摺り棒材７０の高さを自在に変えることができる。
【００１４】
また、階段やスロープなどの傾斜場所では、傾斜場所の傾斜角度に合わせて手摺り棒材７０を設置する必要があるが、手摺り取付部分１４はケース本体部分１３の中心軸ＣＬの周りに回転可能に支持されており、且つ手摺り棒材７０は、前記手摺り取付部分１４にスライド可能に保持されているので、傾斜場所の傾斜角度に合わせて手摺り棒材７０が設置されるように左右のガイドレール５０の装着凹部３を選択し、選択された装着凹部３にプラグ部材１０の挿脱部分１８を装着すれば目的を達する。
【図面の簡単な説明】
【００１５】
【図１】本発明の手摺りを水平に設置した状態の正面図である。
【図２】本発明の手摺りを階段のような傾斜部分に傾斜させて設置した状態の正面図である。
【図３】本発明の第１実施例のプラグ部材とラッチ受け部材の斜視図である。
【図４】図３のプラグ部材の中央断面斜視図である。
【図５】図３のプラグ部材のラッチ部材を引き戻した状態の中央断面斜視図である。
【図６】図３のプラグ部材の装着状態の断面図である。
【図７】図３のプラグ部材のプラグ部材の離脱状態の断面図である。
【図８】本発明の第２実施例のプラグ部材の中央断面斜視図である。
【図９】図８のプラグ部材の他の実施例のラッチ爪部分の中央断面図である。
【図１０】本発明の第３実施例のプラグ部材の中央断面斜視図である。
【図１１】本発明の第４実施例のプラグ部材の手摺り棒材取付部分の断面図である。
【図１２】従来の二段手摺りの断面図である。
【発明を実施するための形態】
【００１６】
以下、図１乃至図１１を参照して本発明について説明する。図１〜図７は第１実施例、図８、図９は第２実施例、図１０は第３実施例、図１１は第１〜３実施例に共通する第４実施例である。以下、順次説明する。第２実施例以下において、第１実施例と異なる部分を中心に説明し、同じ機能を有する部分については、第１実施例の説明を第２実施例以下に援用する。
【００１７】
手摺り１の第１実施例は、ラッチ受け部材２が設けられたガイドレール５０と、プラグ部材１０と、手摺り棒材７０とで構成されている。ラッチ受け部材２とガイドレール５０とは、一体物で構成してもよいし、両者を別体としガイドレール５０にラッチ受け部材２を取り付けるようにしてもよい。ガイドレール５０は長尺の部材である。
【００１８】
一体の場合は、ガイドレール５０に一面に一定間隔で装着凹部３を凹設し、その対向内面に係合穴４が形成される。装着凹部形成面の反対側の面は壁面Ｗへの取付面となる。
別体の場合は、ラッチ受け部材２はブロック状の部材で形成され、その一面に装着凹部３が凹設され、更にその対向内面に係合穴４が形成されている。このようなラッチ受け部材２を複数用意し、装着凹部形成面の反対側の面を一定の間隔でガイドレール５０に取り付ける。
【００１９】
装着凹部３は図の実施例では角穴であるが、別段これに限定されない。また、係合穴４は、後述するラッチ爪４５に合わせた形状に形成される。係合穴４の形状に一例をしめすと、図３に示すように、装着凹部３の開口に対して直角に切った断面が半円弧状、或いは図９示すように、装着凹部３の開口側の面が装着凹部３の内壁に直角に形成され、奥に向かって浅くなる鏃状に形成するようにしてもよい。
【００２０】
両者が一体又は別体に拘わらず、係合穴４は図の実施例ではガイドレール５０の長手方向に合わせて設置されているが、これに限られず、短手方向に揃えてもよい。
【００２１】
プラグ部材１０の第１実施例は、図３〜図７に示すようにケーシング１１とラッチ部材４０とで構成されている。ケーシング１１は、ケーシング本体１２とケーシング本体１２の先端から突設され、装着凹部３に挿入される挿脱部分１８とで構成されている。挿脱部分１８は前記装着凹部３に挿脱される部分でケーシング本体１２より細く形成されている。
【００２２】
ケーシング１１は中空部材で、図の実施例では組み立てのために長手方向に沿って左右二分割されている。
ケーシング本体１２には前記中空部分の一部を構成するラッチ部材４０のラッチ本体部分４１を収納するためのラッチ収納空間部２０が形成され、挿脱部分１８には前記中空部分の残部を構成するアーム収納空間部２１が形成されている。そして、前記アーム収納空間部２１の先端部分にはラッチ爪４５が出没する開口部２２が形成されている。この開口部２２は、本実施例では係合穴４に合わせて挿脱部分１８の上面と下面に設けられている。（図示していないが、係合穴４が両脇に設けられている場合、開口部２２も両横に設けられ、ラッチ部材４０のラッチアーム部４３は横方向に撓むように配置される。）
【００２３】
ラッチ収納空間部２０の上下の幅は、アーム収納空間部２１の上下の幅より大きく、両者の接続部分において、ラッチ収納空間部２０側に段部２３が形成される。そして、プラグ部材１０の後端には、後述する手摺り棒材７０を取り付けるための通孔３０が穿設されている。
【００２４】
ラッチ部材４０は、ラッチ本体部分４１から二股状にラッチアーム部４３が設けられている。そしてその先端の互いに反対側の面にはラッチ爪４５が突設されている。このラッチアーム部４３は、ラッチ爪４５の突設方向に撓むようになっている。ラッチ爪４５は図４から分かるように、ラッチアーム部４３の突出方向に対して平行な断面における突出面４５ａが半円弧状に形成されている。この突出面４５ａ形状は、上記半円弧状に限られるものでなく、図６のような台形状、或いは図９のようなプラグ部材１０の装着凹部３からの引き抜き方向にカエシ４６が設けられた鏃状としてもよい。なお、カエシ４６はモドリ或いはバーブとも言われる。
そして、ラッチ本体部分４１とラッチアーム部４３の基部には段差が設けられており、ラッチ部材４０を挿脱部分１８の突出方向に移動させた時に、この段差がラッチ収納空間部２０側の段部２３に当接してラッチ部材４０の前進動作を規制する。そしてその時点で次に述べるラッチ爪４５が開口部２２から外部に突出する。
【００２５】
ラッチ本体部分４１の側面にはラッチ部材４０をスライドさせるラッチ操作部４２が設けられている。ラッチ操作部４２は、指先が接するボタン４２ｂと、このボタン４２ｂとラッチ本体部分４１とを繋ぐ脚部４２ａとで構成され、脚部４２ａがケーシング本体１２の側面に設けられ長手方向に伸びた長孔３１に配設され、スライドするようになっている。このボタン４２ｂは、ケーシング本体１２に形成された長孔３１を押してケーシング１１の外側に露出しており、外部から操作できるようになっている。
【００２６】
前記二本のラッチアーム部４３の間には該ラッチアーム部４３の先端を開く方向に押圧付勢する弾発材４９が設けられている。弾発材４９は、図の実施例では圧縮コイルバネであるが、その他のバネ、或いはゴムを用いることが出来る。
【００２７】
手摺り棒材７０は、歩行者が手を添えて歩く時のガイドとなる長尺の部材で、断面円形、あるいは楕円形その他手を添えて歩きやすい形状のものが用意される。通孔３０は手摺り棒材７０の断面に合わせた形状となっている。なお、通孔３０は二つ割にされた左右のケーシング半体の両方に貫通するように設けられ、手摺り棒材７０の挿入端部がケーシング１１を貫通するようにしてもよいし、内側のケーシング半体だけに設けて、手摺り棒材７０の挿入端部がケーシング１１内に隠れるようにしてもよい。
【００２８】
次に、プラグ部材１０の動きとその機能に付いて説明する。ラッチ部材４０はケーシング１１内の空間部にスライドするように収納されている。そして、そのラッチ操作部４２の脚部４２ａはケーシング１１の側面に設けられた長孔３１に挿通され、ラッチ操作部４２のボタン４２ｂを介して外部に表れており、外部からラッチ部材４０をスライド操作できるようになっている。
【００２９】
このプラグ部材１０のラッチ操作部４２、換言すれば、ボタン４２ｂを長孔３１に沿ってスライドさせると、図４及び図５に示すように、ラッチ部材４０をケーシング１１の空間部内で前後にスライドさせることができる。
この動きの中でラッチ部材４０を挿脱部分１８側に移動させた時、挿脱部分１８の上下両面に設けた開口部２２かららラッチ爪４５が突出するようになっている（図４）。プラグ部材１０の挿脱部分１８を装着凹部３に挿入下状態でこれを行うと、ラッチ爪４５が係合穴４に入り込んでプラグ部材１０をラッチ受け部材２に装着することができる（図６）。
【００３０】
逆に、ラッチ操作部４２をケーシング本体１２側に引き戻すと、ラッチ爪４５の半円弧状の突出面４５ａが前記開口部２２の孔縁に接触してラッチアーム部４３を閉じる方向に撓ませる。この時、ラッチアーム部４３間の弾発材４９（この場合は、圧縮コイル弾発材）を押し縮められる。そしてそのまま引き戻すと、ラッチ爪４５はアーム収納空間部２１の内面に摺接しながら移動する。この間、ラッチアーム部４３は閉じられたままである。そしてこの状態でプラグ部材１０を装着凹部３から引き抜くことができる（図７）。
【００３１】
前記ガイドレール５０は、廊下や室内では、その壁面Ｗに上下方向に伸び、且つ左右に並べて平行に壁面Ｗに取り付けられる（図１）。左右のガイドレール５０に設けられたラッチ受け部材２の装着凹部３は床面から同じ高さになるように取り付けられる（図１）。階段に付ける場合は後述する。
【００３２】
上記のように構成された左右のプラグ部材１０の通孔３０に手摺り棒材７０の両端部をそれぞれ取り付け、ビス固定する。
続いて、壁面Ｗに取り付けられた左右のガイドレール５０のラッチ受け部材２の装着凹部３に、プラグ部材１０の挿脱部分１８を挿入する。
この時、ラッチ部材４０が挿脱部分１８側に押し出され、開口部２２からラッチ爪４５が覗いている状態とする。挿入に従って、ラッチ爪４５は装着凹部３の内壁に接触して押し縮められつつ該内壁を摺動し、係合穴４に至る。
【００３３】
係合穴４に至ると、弾発材４９の働きでラッチアーム部４３が押し広げられ、ラッチ爪４５が係合穴４に嵌まり込み固定される。手摺り棒材７０の両端のプラグ部材１０が、左右のラッチ受け部材２に装着されることにより、手摺り棒材７０は壁面Ｗの所望の高さに設置されることになる。高さを変更したい場合は、上記動作を繰り返して所望の高さの装着凹部３を選択すればよい。
【００３４】
なお、プラグ部材１０をケーシング本体１２側に引き戻しておいて、ラッチ受け部材２の装着凹部３にプラグ部材１０の挿脱部分１８を挿入した後、ラッチ部材４０を挿脱部分１８方向に移動させ、ラッチ爪４５を係合穴４に係合させてもよい。
【００３５】
図８は、プラグ部材１０の第２実施例の断面斜視図で、プラグ部材１０の形状が異なる。この場合、プラグ部材１０はスライドせず、ラッチアーム部４３に設けた押しボタン状のラッチ操作部４２が設けられている。この押しボタン状のラッチ操作部４２は、ケーシング本体１２部の上面及び下面に設けられたボタン穴３２を通して外部に突出しており、このボタン状のラッチ操作部４２をケーシング本体１２内に押し込むように押圧することでラッチアーム部４３を閉じることができる。
【００３６】
手摺り棒材７０の床からの高さを変更したい場合、ラッチ受け部材２に装着されているプラグ部材１０のラッチ操作部４２を押し込んでラッチアーム部４３を閉じ、ラッチ爪４５を装着凹部３の係合穴４から離脱させる。この状態でラッチ受け部材２からプラグ部材１０を外し、好ましい高さの装着凹部３を選択し、前述の離脱作業の逆を行うことで手摺り棒材７０の床からの高さを簡単に変更することができる
【００３７】
この場合、ラッチ爪４５は先端側に向かって幅狭となる鏃状に形成し、これに合わせて係合穴４も鏃状の窪みとしておくことが好ましい。これによりプラグ部材１０をラッチ受け部材２に装着した時に、ラッチ爪４５のカエシ４６が係合穴４の係止面４ａに掛止され、耐引き抜き強度を高める。前記係止面４ａは係合穴４の内壁に対して垂直に形成されている。
【００３８】
図１０は本発明の第３実施例で、この場合は弾発材４９に代えてラッチアーム部４３の間にスライド自在に摺動部材２６を設け、更にラッチアーム部４３のラッチ爪４５の反対側の面に対向させて突起４４が設けられている。摺動部材２６を突起４４にスライドさせ、前記摺動部材２６の先端部を突起４４の間に押し込むと、ラッチアーム部４３が開き、ラッチ爪４５が係合穴４に嵌まり込む。
【００３９】
逆に、この状態から摺動部材２６をケーシング本体１２側に引き戻すと、摺動部材２６が突起４４の間から抜け、ラッチアーム部４３自体の弾発力、或いはラッチ収納空間部２０とラッチ部材４０のラッチ本体部分４１の間に設置された弾発材４９によりラッチアーム部４３が閉じる。その結果、上記同様、ラッチ爪４５が係合穴４から離脱する。
なお、摺動部材２６には第１実施例と同様のラッチ操作部４２が設けられており、このラッチ操作部４２をケーシング本体１２の外側から操作することで、ラッチアーム部４３に沿ってスライドさせることができる。
【００４０】
次に、図２に示すような階段或いはスロープのような傾斜場所について、手摺り１を設置する場合に付いて説明する。この場合は、手摺り１を傾斜場所に沿って傾斜させる必要がある。ガイドレール５０の設置は上記実施例と同じであるが、左右のガイドレール５０の設置は傾斜場所の傾斜角度に合わせることが好ましい。
この場合、手摺り棒材７０は傾斜場所の傾斜角度に合わせる必要があるので、図１１に示すようにケーシング本体１２をケース本体部分１３と手摺り取付部分１４に分割し、手摺り取付部分１４に設けた回転軸１５をケース本体部分１３の回転穴に挿入し、止め輪１６で回転軸１５の回転穴からの抜け止めを行うようにする。二つ割のケーシング１１は回転軸１５の回転穴への取り付け後、ケーシング１１の縦方向の分割面で合わされて図示しなし締結具で固定される。
【００４１】
このようにして用意された左右のプラグ部材１０は前述のように手摺り棒材７０の両端にそれぞれ取り付けられ、壁面Ｗに設置されたガイドレール５０の選択された装着凹部３に装着される。これにより、手摺り棒材７０は、傾斜場所の傾斜に合わせて設置される。また、上記のように装着凹部３を適宜選択することにより、傾斜場所の床面からの手摺り棒材７０の設置高さを変更することが出来る。
なお、手摺り１を傾斜させて設置する場合は、手摺り棒材７０の長さを傾斜に合わせた長さとしておき、通孔３０への挿入代で長さ調整を行う。なお、通孔３０に対して手摺り棒材７０はスライド可能となっており、挿入代で長さ調整が終了した処でねじ止めによって手摺り取付部分１４に固定される。
【００４２】
なお、図の実施例ではラッチアーム部４３は、上下一対の二股状に形成された場合を示したが、挿脱部分１８に設けた開口部２２を上又は下のいずれか一方とし、ラッチアーム部４３も１本としてラッチアーム部４３に設けたラッチ爪４５が上記開口部２２から出没し、ラッチ爪４５に対応して装着凹部３に設けた1つの係合穴４に係脱させるようにしてもよい。
【符号の説明】
【００４３】
１：手摺り、２：ラッチ受け部材、３：装着凹部、４：係合穴、４ａ：係止面、１０：プラグ部材、１１：ケーシング、１２：ケーシング本体、１３：ケース本体部分、１４：手摺り取付部分、１５：回転軸、１６：止め輪、１８：挿脱部分、２０：ラッチ収納空間部、２１：アーム収納空間部、２２：開口部、２３：段部、２６：摺動部材、３０：通孔、３１：長孔、３２：ボタン穴、４０：ラッチ部材、４１：ラッチ本体部分、４２：ラッチ操作部、４２ａ：脚部、４２ｂ：ボタン、４３：ラッチアーム部、４４：突起、４５：ラッチ爪、４５ａ：突出面、４６：カエシ、４９：弾発材、５０：ガイドレール、６０：手摺り装着部、７０：手摺り棒材、１００・２００：従来の二段手摺り、Ｗ：壁面
【図１】
2019173297.tif 000003
【図２】
2019173297.tif 000004
【図３】
2019173297.tif 000005
【図４】
2019173297.tif 000006
【図５】
2019173297.tif 000007
【図６】
2019173297.tif 000008
【図７】
2019173297.tif 000009
【図８】
2019173297.tif 000010
【図９】
2019173297.tif 000011
【図１０】
2019173297.tif 000012
【図１１】
2019173297.tif 000013
【図１２】
2019173297.tif 000014